(57)【要約】【課題】ガスメータを近接するだけでデータ移植が可能なガス遮断装置を提供する。【解決手段】ガス流量を計測する流量計測手段１７と、異常時にガス流路を遮断するガス遮断弁２ｃと、流量計測手段１７の計測結果に基づく各種情報を記憶する情報記憶手段１０ｂと、複数の相手先と情報の送受信を行う無線モジュール１１と、相手先に応じて通信周波数帯を切り替える通信切替手段１０ｃとを備え、無線モジュール１１は、流量計測手段１７を構成する制御回路基板１０と一体的に構成してガスメータ２内に収納し、少なくとも基地局１４との通信周波数帯と他のガスメータ２Ｅとの通信周波数帯を有し、他のガスメータ２Ｅから送信される所定の移植開始信号を受信したとき、その受信情報を基地局１４に送信し、基地局から送信される所定の応答信号を受信したとき、所定の移植処理モードを実行する構成としてある。【選択図】図３
2008122225.tif 000002
【特許請求の範囲】
【請求項１】
ガスメータを経由した後の配管に接続される複数のガス器具の使用状況を監視するとともに、複数の相手先と電話回線以外の通信回線を用いて直接送受信が可能な無線モジュールを搭載したガス遮断装置であって、
ガスメータには、ガス流量を計測する流量計測手段と、異常時にガス流路を遮断するガス遮断弁と、前記流量計測手段の計測結果に基づく各種情報を記憶する情報記憶手段と、複数の相手先と情報の送受信を行う無線モジュールと、相手先に応じて通信周波数帯を切り替える通信切替手段、駆動用の電池電源とを備え、
前記無線モジュールは、前記流量計測手段を構成する制御回路と一体的に構成して前記ガスメータ内に収納し、少なくとも基地局との通信周波数帯と他のガスメータとの通信周波数帯を有し、
他のガスメータから送信される所定の移植開始信号を受信したとき、その受信情報を基地局に送信し、基地局から送信される所定の応答信号を受信したとき、所定の移植処理モードを実行するようにしたガス遮断装置。
【請求項２】
基地局との通信用無線モジュールと他のガスメータとの通信用無線モジュールとは異なる通信周波数帯を用いて通信を行い、
他のガスメータとの通信用無線モジュールは特定小電力無線通信周波数帯を有するエリア通信無線モジュールとし、基地局との通信用無線モジュールは広域通信周波数帯を有する広域通信無線モジュールとした請求項１記載のガス遮断装置。
【請求項３】
移植開始信号には予め定めた認識コードを付与して送信し、移植開始信号を受信したとき認識コードが一致すると基地局に移植開始情報を送信するようにした請求項１または２記載のガス遮断装置。
【請求項４】
基地局から送信される応答信号は、ガスメータから送信される移植開始情報のメータ識別コードが予め登録した識別コードと一致すると送信するようにした請求項１〜３のいずれか１項記載のガス遮断装置。
【請求項５】
移植処理モードは、情報記憶手段に記憶されたデータのうち予め定めたデータのみ移植し、移植が完了すると基地局に移植完了情報を送信するようにした請求項１〜４のいずれか１項記載のガス遮断装置。
【請求項６】
移植完了情報に応答して基地局から送信される使用開始了承信号を受信したとき、移植後のデータを用いた各種処理を有効とするようにした請求項１〜５のいずれか１項記載のガス遮断装置。
【請求項７】
移植完了情報には移植処理モードが正常に実行されたか否かを判断する所定の情報を含み、正常に実行されたと判断したとき使用開始了承信号を送信するようにした請求項６記載のガス遮断装置。
【請求項８】
認識コードの不一致、識別コードの不一致、移植処理モードの異常判定のうち、少なくとも１つの異常が発生した場合は移植処理を中断するようにした請求項１〜７のいずれか１項記載のガス遮断装置。
【発明の詳細な説明】
【技術分野】
【０００１】
本発明は、ガス遮断装置に関し、特に、検定満了に伴うガスメータ交換時のデータ移植手段に関するものである。
【背景技術】
【０００２】
従来、この種のガス遮断装置としては、公衆回線を介してセンターとメータとを接続し、センターとメータとで通信を行うシステムにおいて、旧メータに設定器を取り付け、設定器で旧メータに関する情報を読取る工程と、新メータに設定器を取り付け、新メータに関する情報を読取る工程と、設定器を網制御装置に接続して、旧メータに関する情報と新メータに関する情報をセンターに送り、センターで登録する工程と、設定器を網制御装置から取り外し、新メータを網制御装置に取り付ける工程と、新メータからセンターに対してテスト発呼を行う工程と、を具備することを特徴とするメータの交換時における情報のセンターへの登録方法が開示されている（例えば、特許文献１参照）。
【０００３】
また、無線自動検針システム等において、メータで検針したデータを含む情報を収集すべく無線回線を介してメータに設けられた無線機子機と通信を行う無線機親機を有し、該無線機親機１台に対して無線機子機をＮ台接続することができるように無線機親機と無線機子機とが１対Ｎに構成され、無線機親機は特定小電力無線にて無線機子機との無線通信を行うと共に携帯電話回線、あるいはテレターミナル無線回線を介してセンター装置側と通信するようにしたものがある（例えば、特許文献２参照）。
【特許文献１】特開平８−２１４０７８号公報
【特許文献２】特開２００１−１１１７０１号公報
【発明の開示】
【発明が解決しようとする課題】
【０００４】
しかしながら、上記特許文献１に開示された従来の構成では、ガスメータの交換作業において、設定器を介して旧メータの情報を読取り、その後、センターとの通信により新メータを登録するという方法があるが、センターとの回線接続が必要であり、万一、ガスメータがセンターに接続されていない場合、いちいちガス事業者が設定器を介し、旧メータの設定されている情報を吸い上げ、新メータに設定器を接続し直し、設定するという手間を要し、又設定器を持参し忘れた場合、設置現場で即座に設定ができず、再度設定器を会社まで取りに帰り設定したり、更に設定器の電池切れの場合もあり、設定するまでに煩わしい手間がかかり、或いはガス事業者が現場で電文設定器で各種設定を行い誤った設定をするのを防止できないという課題を有していた。
【０００５】
また、ガスメータの各種情報、例えば検針値データを収集する場合やデータを移植する場合、ガスメータに別途無線機子機を取り付けるとともに、センター側と電話回線を用いて通信するための無線機親機を設け、センター側から検針値データ要求指令やデータ移植指令が無線機親機に送信されると、無線機親機と無線機子機の間で検針値データや移植データの送受信を行い、受信した検針値データや移植データを電話回線を用いて無線機親機からセンター側に送信し、センター側で料金換算等の処理やデータ移植処理を行った後、需要家に対して郵便等で所定期間毎のガス使用量と料金等の情報を知らせる、または電話回線を用いて無線機親機から無線機子機を経由してガスメータにデータを送信するというガス通信システムであったため、自動検針やデータ移植を行うためにガスメータの他に無線機子機を設け、かつセンターとの通信及び無線子機との通信のために無線機親機を設ける必要があった。さらに、センターとの通信を電話回線により行うようにしているため、回線が混雑した場合等にあってはスムーズな情報伝達ができない場合があった。
【０００６】
本発明は上記課題を解決するもので、ガスメータを設置するだけでセンターからの各種指示に従った各種処理が電話回線を使用することなく可能とし、かつ、交換するガスメータを近接するだけで自動的にデータ移植を実行することができ、いかなる環境下にあってもスムーズな情報伝達を合理的に実現することを目的としたガス遮断装置を提供するものである。
【課題を解決するための手段】
【０００７】
上記従来の課題を解決するために本発明のガス遮断装置は、ガスメータを経由した後の配管に接続される複数のガス器具の使用状況を監視するとともに、複数の相手先と電話回線以外の通信回線を用いて直接送受信が可能な無線モジュールを搭載したガス遮断装置であって、ガスメータには、ガス流量を計測する流量計測手段と、異常時にガス流路を遮断するガス遮断弁と、流量計測手段の計測結果に基づく各種情報を記憶する情報記憶手段と、複数の相手先と情報の送受信を行う無線モジュールと、相手先に応じて通信周波数帯を切り替える通信切替手段、駆動用の電池電源とを備え、無線モジュールは、流量計測手段を構成する制御回路と一体的に構成して前記ガスメータ内に収納し、少なくとも基地局との通信周波数帯と他のガスメータとの通信周波数帯を有し、他のガスメータから送信される所定の移植開始信号を受信したとき、その受信情報を基地局に送信し、基地局から送信される所定の応答信号を受信したとき、所定の移植処理モードを実行するようにしたものである。
【０００８】
上記発明によれば、電話回線以外の無線通信手段を用いて基地局との通信が可能な無線モジュールと、情報記憶手段の各種記憶情報を特定小電力無線等の無線通信手段を用いて他のガスメータに送信可能な無線モジュールとを、ガスメータ内の流量計測用制御回路基板に一体的に組み込んだ形態としているため、ガスメータを設置するだけで基地局と電話回線を用いることなく通信が可能となり、回線の混雑状況に影響を受けず基地局からの各種指令をスムーズに伝達することができ、ガスメータからは基地局からの指令に基づく各種情報をスムーズに伝達することができ、従来のように電話回線の混雑でセンターとの通信ができないという不具合を解消することができる。
【０００９】
また、ガスメータからは情報記憶手段の各種記憶情報を他のガスメータを近接するだけで自動的に送信することができるため、検定満了に伴うガスメータの交換作業を簡単かつ正確に行うことができる。
【発明の効果】
【００１０】
本発明のガス遮断装置は、ガスメータを設置するだけで基地局と電話回線を用いることなく通信が可能となり、回線の混雑状況に影響を受けず基地局からの各種指令をスムーズに伝達することができ、ガスメータからは基地局からの指令に基づく各種情報をスムーズに伝達することができ、従来のように電話回線の混雑でセンターとの通信ができないという不具合を解消することができ、また、ガスメータからは情報記憶手段の各種記憶情報を他のガスメータを近接するだけで自動的に送信することができるため、検定満了に伴うガスメータの交換作業を簡単かつ正確に行うことができる。
【発明を実施するための最良の形態】
【００１１】
第１の発明は、ガスメータを経由した後の配管に接続される複数のガス器具の使用状況を監視するとともに、複数の相手先と電話回線以外の通信回線を用いて直接送受信が可能な無線モジュールを搭載したガス遮断装置であって、ガスメータには、ガス流量を計測する流量計測手段と、異常時にガス流路を遮断するガス遮断弁と、前記流量計測手段の計測結果に基づく各種情報を記憶する情報記憶手段と、複数の相手先と情報の送受信を行う無線モジュールと、相手先に応じて通信周波数帯を切り替える通信切替手段、駆動用の電池
電源とを備え、前記無線モジュールは、前記流量計測手段を構成する制御回路と一体的に構成して前記ガスメータ内に収納し、少なくとも基地局との通信周波数帯と他のガスメータとの通信周波数帯を有し、他のガスメータから送信される所定の移植開始信号を受信したとき、その受信情報を基地局に送信し、基地局から送信される所定の応答信号を受信したとき、所定の移植処理モードを実行するようにしたことを特徴とするものである。
【００１２】
そして、電話回線以外の無線通信手段を用いて基地局との通信が可能な無線モジュールと、情報記憶手段の各種記憶情報を特定小電力無線等の無線通信手段を用いて他のガスメータに送信可能な無線モジュールとを、ガスメータ内の流量計測用制御回路基板に一体的に組み込んだ形態としているため、ガスメータを設置するだけで基地局と電話回線を用いることなく通信が可能となり、回線の混雑状況に影響を受けず基地局からの各種指令をスムーズに伝達することができ、ガスメータからは基地局からの指令に基づく各種情報をスムーズに伝達することができ、従来のように電話回線の混雑でセンターとの通信ができないという不具合を解消することができる。
【００１３】
また、ガスメータからは情報記憶手段の各種記憶情報を他のガスメータを近接するだけで自動的に送信することができるため、検定満了に伴うガスメータの交換作業を簡単かつ正確に行うことができる。
【００１４】
第２の発明は、基地局との通信用無線モジュールと他のガスメータとの通信用無線モジュールとは異なる通信周波数帯を用いて通信を行い、他のガスメータとの通信用無線モジュールは特定小電力無線通信周波数帯を有するエリア通信無線モジュールとし、基地局との通信用無線モジュールは広域通信周波数帯を有する広域通信無線モジュールとしたことを特徴とするものである。
【００１５】
そして、基地局とキャリアダイレクトで通信可能な広域通信無線モジュールと、特定小電力無線通信周波数帯を用いて所定の範囲内で通信可能なエリア通信無線モジュールを流量計測用制御回路基板と一体的に構成し、基地局と電話回線以外の通信回線で情報の伝達を行い、他のガスメータと特定小電力無線通信周波数帯で情報の伝達を行うようにしているため、ガスメータの交換時にデータを移植する場合、基地局とのデータ移植に関する承諾処理をスムーズに行うことができ、かつ他のガスメータを近接するだけで自動的にデータ移植処理を実行することができ、作業者はガスメータの取り外しと取り付けだけの作業を実行するだけでよく、交換作業の簡素化が図れると共に、人を介在させることなくデータ移植処理を実行することで正確な交換作業を行うことができる。
【００１６】
第３の発明は、移植開始信号には予め定めた認識コードを付与して送信し、移植開始信号を受信したとき認識コードが一致すると基地局に移植開始情報を送信するようにしたことを特徴とするものである。
【００１７】
そして、ガスメータの交換を行うときは交換する新ガスメータを交換される旧ガスメータに近づけ、新ガスメータから内蔵のエリア通信無線モジュールを用いて移植開始信号を送信する。この移植開始信号には機能別あるいは計測流量範囲別等の予め定めた認識コードを付与しておき、この移植開始信号を旧ガスメータに内蔵のエリア通信無線モジュールが受信し認識コードが一致すると、内蔵の広域通信無線モジュールを用いて基地局にデータ移植を開始してもよいか等の移植開始情報を送信する。この一連の移植開始処理により、メータ交換時における機種間違い等のトラブルを事前に解消することができる。
【００１８】
第４の発明は、基地局から送信される応答信号は、ガスメータから送信される移植開始情報のメータ識別コードが予め登録した識別コードと一致すると送信するようにしたことを特徴とするものである。
【００１９】
そして、ガスメータからの移植開始情報に応答して基地局から送信される応答信号は、移植開始情報に含まれる交換する又は交換されるガスメータ固有の識別コードが基地局で予め登録してある識別コードと一致すると発信するようにしているため、ガスメータ交換時におけるデータ移植作業の開始を複数回にわたって確認することができ、正確な交換作業を行うことができる。
【００２０】
第５の発明は、移植処理モードは、情報記憶手段に記憶されたデータのうち予め定めたデータのみ移植し、移植が完了すると基地局に移植完了情報を送信するようにしたことを特徴とするものである。
【００２１】
そして、移植開始の許可がでると、旧ガスメータの情報記憶手段に記憶されているデータのうち、予め定めたデータ、例えば流量データ、異常履歴データ、各家庭固有の設定登録データ等を新ガスメータの情報記憶手段に移植し、移植が完了すると基地局に移植完了情報を送信するようにしているため、基地局においてデータ移植が正常に完了したことを知ることができ、ガスメータ交換作業の一括管理が可能となる。
【００２２】
第６の発明は、移植完了情報に応答して基地局から送信される使用開始了承信号を受信したとき、移植後のデータを用いた各種処理を有効とするようにしたことを特徴とするものである。
【００２３】
そして、データ移植完了後に送信される移植完了情報に応答して基地局から使用開始了承信号を送信することで移植後のデータを用いた各種処理を有効としているため、ガスメータ交換時における使用開始を複数のステップで確認することができ、正確な交換作業を行うことができると共に、従来通りの設定内容に基づく流量管理が可能となり、異常履歴等旧ガスメータに記憶されている情報を引き継いで監視することができる。
【００２４】
第７の発明は、移植完了情報には移植処理モードが正常に実行されたか否かを判断する所定の情報を含み、正常に実行されたと判断したとき使用開始了承信号を送信するようにしたことを特徴とするものである。
【００２５】
そして、データ移植完了後に移植処理モードが正常に実行されたか否かを判断する符号等を付与した移植完了情報を送信するようにしているため、基地局でデータの移植が正常に行われたか否かを容易に判断することができ、この判断結果に基づいて使用開始了承信号を送信することでメータ交換作業の確実性をより高めることができる。
【００２６】
第８の発明は、認識コードの不一致、識別コードの不一致、移植処理モードの異常判定のうち、少なくとも１つの異常が発生した場合は移植処理を中断するようにしたことを特徴とするものである。
【００２７】
そして、一連のデータ移植処理の過程で複数のステップにおいて新旧ガスメータの照合処理を行うようにしているため、データ移植処理の不具合を確実に確認することができ、メータ交換作業の確実性をより高めることができる。
【００２８】
以下、本発明の実施の形態について、図面を参照しながら説明する。なお、この実施の形態によって本発明が限定されるものではない。
【００２９】
（実施の形態１）
図１は本発明の実施の形態１におけるガス遮断装置と基地局及び需要家宅との通信形態の全体構成図、図２は同ガス遮断装置における隣接するガスメータとの通信形態を示す図
、図３は同ガス遮断装置における他のガスメータとの通信形態を示す図、図４は同ガス遮断装置の外観及び構成部品を示す図、図５は同ガス遮断装置の内部構成図、図６は同ガス遮断装置の制御回路基板の構成ブロック図である。
【００３０】
図において、各家庭のガス供給管１の入口部分にガスメータ２が設置され、このガスメータ２を経由した後のガス配管３から分岐して家庭で使用する種々のガス器具が設置された場所まで配管されガスが供給される。例えば、屋外にはガス給湯器４が設置され、このガス給湯器４で生成される湯が水配管を介して台所の給湯栓５、浴槽やシャワー装置が設置された風呂６、リビング等に設置された床暖房７に供給され、種々の使用形態を形成している。
【００３１】
また、屋内にあっては、台所に設置されたガステーブル８、リビングや寝室等に設置されたガスファンヒータ９にガスが供給され、必要に応じて適宜使用される。
【００３２】
そして、設置されたガス器具が使用されガスの消費が発生するとガスメータ2でその使用量が計測され、そのデータが所定期間毎に累積記憶されている。このガスメータ2に記憶されたデータはガス事業者１５からの定期的なデータ要求指令に基づいて所定の情報処理を行った後、ガス料金やガス使用量あるいはガス事業者１５が提供する割引サービス等の情報として需要家１３及びガス事業者１５に送信される。
【００３３】
この送信手段としては、図４に示すようにガスメータ２に内蔵された制御装置を構成する制御回路基板１０に一体的に組み込まれた無線モジュール１１を用いて行い、この無線モジュール１１はコネクタ１０ｄで着脱自在に制御回路基板１０にオンボードされ、無線モジュール１１を搭載せず通信機能を有しないガスメータと無線モジュール１１を搭載した通信機能を有するガスメータを任意に選択できる構成とし、ガスメータ２の共通化を図り、通信機能の有無に関係なく使用できるようにしている。
【００３４】
また、無線モジュール１１を着脱自在な構成とすることで、通信機能を有する場合であっても通信規格を取得した無線モジュールを搭載すれば、ガスメータ本体で通信機としての規格を取得する必要がなく、ガスメータを変更する場合等において規制を受けることなく比較的自由に変更が可能となる。
【００３５】
そして、図６に示すように無線モジュール１１は、基地局１４と通信するために電話回線とは異なる、例えば２００ＭＨｚの通信周波数帯を有する広域通信無線モジュール１１ａと、需要家宅１３内のテレビ１２ａやパソコンあるいは携帯電話１２ｂ等の特定の端末装置１２および他のガスメータと通信するために、例えば４２９ＭＨｚの特定小電力無線通信周波数帯を有するエリア通信無線モジュール１１ｂで構成し、流量信号やセンサ信号に基づいてガス使用量の算出あるいは地震、ガス漏れ等の異常検知を行う制御回路１０ａからのデータ、さらには基地局１４を介してガス事業者１５から送信される各種情報、さらには隣接するガスメータ２Ａ〜２Ｄや他のガスメータ２Ｅから送信される各種情報を受信すると、その受信データに応じて、例えばガス料金、ガス使用量あるいは地震、ガス漏れ等の異常発生に伴うガス遮断弁の作動、隣接するガスメータから脈動現象の発生を知らせる情報に対応した計測モードの変更、さらにはガスメータ交換に伴うデータ移植指令情報等、需要家に報知すべき内容の場合はエリア通信無線モジュール１１ｂを用いて需要家宅１３内のテレビ１２ａあるいは携帯電話１２ｂ等の特定の端末装置１２にデータを送信し、ガスメータ交換時のデータ移植を実行する場合は他のガスメータ２Ｅに所定の記憶データを送信する。
【００３６】
そして、図７に示すように特定の端末装置１２にもガスメータ２に内蔵してあるエリア通信無線モジュール１１ｂと同一の通信周波数帯を有する無線モジュール１１ｃを内蔵あ
るいは一体的に取り付けることで、ガスメータ２から送信されるデータを受信することができ、このデータをテレビ１２ａあるいは携帯電話１２ｂの画面を通じて表示することで、ガスメータから直接需要家に対して情報の伝達を行うことができ、従来のように、ガスメータ２からガス事業者１５にデータを送信し、ガス事業者１５でデータ処理を行った情報、例えば料金通知等の葉書を郵送等で需要家に送付するという情報伝達方法を採用する必要がなくなるため、通知作業に要する工数を削減でき、かつ通知用葉書等の郵送費用の発生もなくなり、通知業務の合理化を実現することでガス料金の低減に寄与するものである。
【００３７】
また、ガスメータ２から特定の端末装置１２に各種情報を送信した場合は、エリア通信無線モジュール１１ｂから広域通信無線モジュール１１ａに報知完了信号を送り、広域通信無線モジュール１１ａはこの報知完了信号を基地局１４に送信し、ガス事業者１５に需要家への情報伝達が完了したことを通知する。なお、この場合、特定の端末装置１２からの応答信号を受信して報知完了信号を送信することが好ましく、より確実に需要家への情報伝達を行うことができ、合理的な情報伝達システムを構築することができる。
【００３８】
次に、制御回路１０ａに内蔵されたガス流量を計測し所定の処理を行って流量情報として出力する流量計測処理手段について簡単に説明すると、ガスメータ２には図４、図５に示すように、ガス入口２ａとガス出口２ｂを有し、その間のガス流路内に異常時にガスを遮断する遮断弁２ｃとガス流量を計測する一対の超音波センサ１７が設けられ、その下流側にガス圧を検出する圧力センサ２ｄが配置されている。また、超音波センサ１７からの信号でガス流量を算出する制御回路１０ａを搭載した制御回路基板１０がガスメータ２の表示部２ｅに液晶表示器１０ｅを臨ますように配置され、さらに、制御回路１０ａを駆動させるための電池２ｆが収納されている。また、遮断弁２ｃが作動した後の復帰動作を手動で行う手段として復帰ボタン２ｇが配置されている。
【００３９】
そして、ガス流量を計測する流量計測部１７と制御回路１０ａは、例えば図９に示すように、ガス流路に一対の超音波センサを配置し流路を流れる流量に応じて変化する伝播時間を計測することで流量を測定するものがある。以下、その構成を説明すると、超音波を送信または受信する第１送受信器１７Ａと受信または送信する第２送受信器１７Ｂが流れ方向に配置され、制御回路１０ａを構成する切換手段を有する計測制御部１８によって送受信の切り換えが可能になっており、ガス等の流体の流れ状態を検出している。この第１送受信器１７Ａと第２送受信器１７Ｂの信号を処理して流量を計測するもので、具体的には、まず計測制御部１８により第１送受信器１７Ａを駆動し、第２送受信器１７Ｂに向け、すなわち上流から下流に超音波を送信する。そして第２送受信器１７Ｂで受信した信号を計測制御部１８に設けた増幅手段により増幅し、この増幅された信号は基準信号と比較され、基準信号以上の信号が検出された後、計測制御部１８に設けた繰り返し手段により上記の送受信を所定の回数を繰り返し、それぞれの時間値を計測制御部１８に設けたタイマカウンタのような計時手段で計測する。
【００４０】
次に、切換手段を有する計測制御部１８で第１送受信器１７Ａと第２送受信器１７Ｂの送受信を切換えて、第２送受信器１７Ｂから第１送受信器１７Ａ、すなわち下流から上流に向かって超音波信号を送信し、この送信を前述のように繰り返し、それぞれの時間値を計測する。そして、第１送受信器１７Ａと第２送受信器１７Ｂとの超音波の伝搬時間差から流路１６の大きさや流体の流れ状態を考慮して信号処理手段１９で流量値を求める。求められた流量データは情報記憶手段１０ｂで累積され、所定期間毎の累積データとして記憶される。
【００４１】
また、流量計測部１７が配置された流路１６内には異常時等にガスの流れを遮断する遮断弁２ｃが設けられ、信号処理手段１９で求められる流量値が異常に多い場合や通常考え
られる使用時間を超えて流量値が検出されるような場合に異常と判断して遮断弁２ｃを作動させてガス流路１６を遮断する。
【００４２】
また、感震装置２１から地震や衝撃信号、圧力センサ２ｄから異常なガス圧の信号が入力されると、制御回路１０ａを介して遮断弁２ｃを作動させてガス流路１６を遮断すると共に、センターに通報する。
【００４３】
次に、ガスメータ２に内蔵した無線モジュール１１を用いた情報伝達の一例を説明すると、まずガス事業者１５からの検針指示が基地局１４を介して広域通信周波数帯（２００ＭＨｚ）で送信された場合、ガスメータ２に内蔵してある広域通信無線モジュール１１ａが受信し、その検針指示情報が同一基板に搭載してある制御回路１０ａに送られる。制御回路１０ａには流量計測手段で計測された流量データが所定期間毎に累積され、その累積データ、あるいは料金データに変換した情報が情報記憶手段１０ｂに記憶されており、ガス事業者１５からの検針指示情報が入力されると制御回路１０ａは情報記憶手段１０ｂの流量累積データ、あるいは料金データに変換した情報を通信切替手段１０ｃを介してエリア通信無線モジュール１１ｂ及び広域通信無線モジュール１１ａに送り、広域通信無線モジュール１１ａは広域通信周波数帯（２００ＭＨｚ）で基地局１４に送信し、基地局１４から専用回線を用いてガス事業者１５に検針情報が伝達される。また、エリア通信無線モジュール１１ｂは特定小電力無線通信周波数帯（４２９ＭＨｚ）でテレビ１２ａ等の特定の端末装置１２に一体的に取り付けた無線モジュール１１ｃに送信し、画面上に例えば、図８（ａ）に示すような料金情報や使用量を表示する。そして、特定端末装置１２への送信が完了すると、上記した如く、報知完了信号をガス事業者１５に送信し、需要家への情報伝達が完了したことを通知する。
【００４４】
また、地震や衝撃等で遮断弁２ｃが作動した場合において原因究明がなされ、ガス事業者１５からの復帰指示が基地局１４を介して広域通信周波数帯（２００ＭＨｚ）で送信された場合、ガスメータ２に内蔵してある広域通信無線モジュール１１ａが受信し、その復帰指示情報が同一基板に搭載してある制御回路１０ａに送られる。制御回路１０ａは復帰指示情報が入力されると、情報記憶手段１０ｂに記憶されている復帰作業に関する情報を通信切替手段１０ｃを介してエリア通信無線モジュール１１ｂに送り、エリア通信無線モジュール１１ｂは特定小電力無線通信周波数帯（４２９ＭＨｚ）でテレビ１２ａ等の表示端末装置１２に一体的に取り付けた無線モジュール１１ｃに送信し、画面上に例えば、図８（ｂ）に示すような復帰作業の手順を表示する。そして、表示端末装置１２への送信が完了すると、上記した如く、報知完了信号をガス事業者１５に送信し、需要家への情報伝達が完了したことを通知する。
【００４５】
以上のように、制御回路１０ａには伝達する情報に応じて通信する相手先に対応して通信周波数帯の異なる無線モジュールを選択すべく通信切替手段１０ｃを有しており、例えば、ガス事業者１５からの検針指令の場合は、広域通信無線モジュール１１ａで受信した情報によりガス事業者１５と特定端末装置１２に情報記憶手段１０ｂの記憶情報を伝達する必要があり、この場合は、例えば２００ＭＨｚの通信周波数帯を有する広域通信無線モジュール１１ａと、例えば４２９ＭＨｚの特定小電力無線通信周波数帯を有するエリア通信無線モジュール１１ｂを選択し、ガス事業者１５からの復帰指示の場合は、表示端末装置１２に情報記憶手段１０ｂの記憶情報を伝達するだけでよく、この場合は、例えば４２９ＭＨｚの特定小電力無線通信周波数帯を有するエリア通信無線モジュール１１ｂを選択すればよい。
【００４６】
なお、広域通信無線モジュール１１ａとエリア通信無線モジュール１１ｂはそれぞれ別々に設けてもよく、共通の無線モジュールとし通信周波数帯を広域通信周波数帯と特定小電力無線通信周波数帯で切替えるようにしてもよいもので、前者の場合、通信切替手段１
０ｃは広域通信無線モジュール１１ａとエリア通信無線モジュール１１ｂを選択する必要があり、同時通信が可能というメリットがある反面、設置スペース大やコスト高というデメリットを有している。後者の場合、通信切替手段１０ｃは通信相手先に応じて通信周波数帯を切替える必要があり、設置スペース小やコスト安というメリットがある反面、同時通信ができず交互通信になるというデメリットを有している。
【００４７】
次に、以上のような通信機能を有するガスメータにおいて、検定満了を迎えた場合、あるいは不具合が発生した場合におけるガスメータの交換について説明すると、ガスメータは法律で所定の期間毎に点検及び交換が義務付けられており、この交換時に今までに記憶された流量データや異常履歴データさらには各家庭固有の設定登録データ等を交換した後も継続して使用することが望ましい。そこで、定期交換等により今まで使用していた旧ガスメータ２から新ガスメータ２Ｅに交換する場合のデータ移植処理について説明する。
【００４８】
新ガスメータ２Ｅに交換する場合は上記した如く、新たに初期設定から始める必要はなく、今までに使用していた各家庭固有の器具情報及びガス事業者１５が提供するサービスに対応して分類した情報さらには分類された情報に従って計測された流量値、異常発生の履歴を保存したデータが旧ガスメータ２の情報記憶手段１０ｂに記憶されているため、この旧ガスメータ２に記憶された各種情報を新ガスメータ２Ｅに移植することで、今ままでと同じ条件で家庭内におけるガス器具の使用状況を監視することができるものである。
【００４９】
本実施の形態における具体的なガスメータの交換手順は、図３、図１０に示すように、現在設置されているガスメータ２が検定満了時期を迎え交換が必要になった場合、新たに交換するガスメータ２Ｅを準備し、この新ガスメータ２Ｅを所定の操作により移植開始信号を送信するモードに設定し旧ガスメータ２に近づけセットする（Ｓ１）。このステップＳ１で新ガスメータ２から旧ガスメータ２に移植開始信号が送信される。この移植開始信号は新ガスメータ２Ｅに内蔵の無線モジュール１１のうちエリア通信無線モジュール１１ｂを用いて送信され、旧ガスメータ２に内蔵のエリア通信無線モジュール１１ｂが受信する（Ｓ２）。そして、移植開始信号には機種別あるいは機能別あるいは流量計測範囲別等に区分されて付与された認証コードを含んでおり、移植開始信号を受信した旧ガスメータ２はこの認証コードが予め保有している認証コードと一致するか否かを判定する（Ｓ３）。このステップＳ３の判定結果が不一致の場合は移植処理を中断し（Ｓ１４）、一致の場合は基地局１４に対して移植開始情報を送信する（Ｓ４）。この移植開始情報は旧ガスメータ２に内蔵の無線モジュール１１のうち広域通信無線モジュール１１ａを用いて送信される。
【００５０】
このようにステップＳ３で交換するガスメータ２Ｅが交換されるガスメータ２と互換性を有するガスメータであるか否かが判定され、一連の移植処理における第１の確認処理が実行される。そして、移植開始情報には交換するガスメータ２Ｅまたは交換されるガスメータ２に付与されている固有の識別コードを含んでおり、移植開始情報を受信した基地局１４は識別コードがガスメータを交換するために事前に申請された識別コードであるか否かを判定する（Ｓ５）。このステップＳ５の判定結果が不一致の場合は移植処理を中断し（Ｓ１４）、一致の場合は旧ガスメー２に対して応答信号を送信する（Ｓ６）。
【００５１】
このようにステップＳ５で今回のガスメータの交換が事前に申請されたものであるか否かが判定され、一連の移植処理における第２の確認処理が実行される。そして、基地局１４からの応答信号を旧ガスメータ２に内蔵の広域通信無線モジュール１１ａが受信する（Ｓ７）と、旧ガスメータ２と新ガスメータ２Ｅの間でエリア通信無線モジュール１１ｂを用いて所定の移植処理モードが実行される（Ｓ８）。この移植処理モードは旧ガスメータ２の情報記憶手段１０ｂに記憶されている各種データのうち予め定めたデータ、例えば今までに記憶された流量データや異常履歴データさらには各家庭固有の設定登録データ等が
抽出され、このデータが新ガスメータ２Ｅに送信され情報記憶手段１０ｂに格納される。全てのデータが格納され移植処理モードが完了すると新ガスメータ２Ｅに内蔵の広域通信無線モジュール１１ａを用いてから基地局１４に対して移植完了情報を送信する（Ｓ９）。
【００５２】
そして、移植完了情報にはステップＳ８の移植処理モードが正常に実行されたか否かを判定した符号等の情報が含まれており、移植完了情報を受信した基地局１４はこの判定符号より移植処理モードが正常に実行されたと判断（Ｓ１０）したとき、使用開始了承信号を新ガスメータ２Ｅに送信する（Ｓ１１）。ステッブＳ１０で移植処理モードに異常があったと判断したときは移植処理を中断する（Ｓ１４）。このようにステップ１０で移植処理モードが正常に実行されたか否かが判定され、一連の移植処理における第３の確認処理が実行される。そして、新ガスメータ２Ｅに内蔵の広域通信無線モジュール１１ａで使用開始了承信号が受信（Ｓ１２）すると、新ガスメータ２Ｅは旧ガスメータ２から移植されたデータに基づいて従来と同様の条件でガスの供給管理を行うことが可能となる（Ｓ１３）。
【００５３】
以上のように、本実施の形態によれば、基地局とキャリアダイレクトで通信可能な広域通信無線モジュール１１ａと、特定小電力無線通信周波数帯を用いて所定の範囲内で通信可能なエリア通信無線モジュール１１ｂを流量計測用制御回路基板１０と一体的に構成し、基地局１４と電話回線以外の通信回線で情報の伝達を行い、他のガスメータ２Ｅと特定小電力無線通信周波数帯で情報の伝達を行うようにしているため、ガスメータ２の交換時にデータを移植する場合、基地局１４とのデータ移植に関する承諾処理をスムーズに行うことができ、かつ他のガスメータ２Ｅを近接するだけで自動的にデータ移植処理を実行することができ、作業者はガスメータの取り外しと取り付けだけの作業を実行するだけでよく、検定満了に伴うガスメータの交換作業の簡素化が図れると共に、人を介在させることなくデータ移植処理を実行することで正確な交換作業を行うことができる。
【００５４】
また、ガスメータ２の交換を行うときは交換する新ガスメータ２Ｅを交換される旧ガスメータ２に近づけ、新ガスメータ２Ｅから内蔵のエリア通信無線モジュール１１ｂを用いて移植開始信号を送信する。この移植開始信号には機能別あるいは計測流量範囲別等の予め定めた認識コードを付与しておき、この移植開始信号を旧ガスメータ２に内蔵のエリア通信無線モジュール１１ｂが受信し認識コードが一致すると、内蔵の広域通信無線モジュール１１ａを用いて基地局１４にデータ移植を開始してもよいか等の移植開始情報を送信する。この一連の移植開始処理により、メータ交換時における機種間違い等のトラブルを事前に解消することができる。
【００５５】
また、ガスメータからの移植開始情報に応答して基地局１４から送信される応答信号は、移植開始情報に含まれる交換する又は交換されるガスメータ固有の識別コードが基地局１４で予め登録してある識別コードと一致すると発信するようにしているため、ガスメータ交換時におけるデータ移植作業の開始を複数回にわたって確認することができ、正確な交換作業を行うことができる。
【００５６】
また、移植開始の許可がでると、旧ガスメータ２の情報記憶手段１０ｂに記憶されているデータのうち、予め定めたデータ、例えば流量データ、異常履歴データ、各家庭固有の設定登録データ等を新ガスメータ２Ｅの情報記憶手段１０ｂに移植し、移植が完了すると基地局１４に移植完了情報を送信するようにしているため、基地局１４においてデータ移植が正常に完了したことを知ることができ、ガスメータ交換作業の一括管理が可能となる。
【００５７】
また、データ移植完了後に送信される移植完了情報に応答して基地局１４から使用開始
了承信号を送信することで移植後のデータを用いた各種処理を有効としているため、ガスメータ交換時における使用開始を複数のステップで確認することができ、正確な交換作業を行うことができると共に、従来通りの設定内容に基づく流量管理が可能となり、異常履歴等旧ガスメータに記憶されている情報を引き継いで監視することができる。
【００５８】
また、データ移植完了後に移植処理モードが正常に実行されたか否かを判断する符号等を付与した移植完了情報を送信するようにしているため、基地局１４でデータの移植が正常に行われたか否かを容易に判断することができ、この判断結果に基づいて使用開始了承信号を送信することでメータ交換作業の確実性をより高めることができる。
【００５９】
また、一連のデータ移植処理の過程で複数のステップにおいて新旧ガスメータの照合処理を行うようにしているため、データ移植処理の不具合を確実に確認することができ、メータ交換作業の確実性をより高めることができる。
【産業上の利用可能性】
【００６０】
本発明のガス遮断装置によれば、交換するガスメータを近接するだけで自動的にデータ移植処理を実行することができるため、定期的に交換が必要な各種メータに適用することができる。
【図面の簡単な説明】
【００６１】
【図１】本発明の実施の形態１におけるガス遮断装置の通信形態を示す全体構成図
【図２】同ガス遮断装置における隣接するガスメータとの通信形態を示す図
【図３】同ガス遮断装置における他のガスメータとの通信形態を示す図
【図４】同ガス遮断装置の外観及び構成部品を示す図
【図５】同ガス遮断装置の内部構成図
【図６】同ガス遮断装置の制御回路基板の構成ブロック図
【図７】同ガス遮断装置と特定端末装置の通信形態を示す図
【図８】（ａ）同特定端末装置における料金情報表示形態を示す図（ｂ）同特定端末装置における復帰情報表示形態を示す図
【図９】同ガス遮断装置の制御ブロック図
【図１０】同ガス遮断装置の移植処理フローチャート
【符号の説明】
【００６２】
２  ガスメータ
２ｃ  ガス遮断弁
１０  制御回路基板
１０ａ  制御回路
１０ｂ  情報記憶手段
１０ｃ  通信切替手段
１１  無線モジュール
１１ａ  広域通信無線モジュール
１１ｂ  エリア通信無線モジュール
１２  特定端末装置
１２ａ  テレビ
１２ｂ  携帯電話
１４  基地局
１７  流量計測手段（流量計測処理手段）
２１  感震装置
【図６】
2008122225.tif 000003
【図１０】
2008122225.tif 000004
【図１】
2008122225.tif 000005
【図２】
2008122225.tif 000006
【図３】
2008122225.tif 000007
【図４】
2008122225.tif 000008
【図５】
2008122225.tif 000009
【図７】
2008122225.tif 000010
【図８】
2008122225.tif 000011
【図９】
2008122225.tif 000012